(57)【要約】【課題】  印鑑票より取得した画像から少なくとも印影領域を設定及び調整を行い、かつ印影が領域内に収まっていない場合でも印影を抽出できる印鑑登録システムを提供する。【解決手段】  印影抽出手段は、印鑑票より取得した印鑑票画像から枠情報に基づいて印影画像を枠内に設定すると印影画像を抽出して表示手段に表示させ、枠情報検索部は、複数の印鑑票の識別情報に対応させて印鑑票画像上での印影画像を配置するための枠情報が格納されている枠情報格納部を識別情報に基づいて検索し、対応する枠情報の有無を判定し、存在すると枠情報を印影抽出手段に供給し、枠情報供給部は、枠情報が存在しないと、基本枠情報を印影抽出手段に供給し、枠変更部は、枠の不整合によって枠の変更データを入力すると印影画像に整合する枠を設定し、かつ基本枠情報を変更データで変更し、枠情報格納手段は、変更した枠情報を識別情報に対応させて枠情報格納部に格納する。【選択図】    図１
2008015805.tif 000002
【特許請求の範囲】
【請求項１】
登録処理すべく押印された印鑑票より取得したイメージデータから印鑑票画像を表示する表示手段と、前記印鑑票画像から枠情報に基づいて少なくとも印影画像を枠内に設定すると前記印影画像を抽出して前記表示手段に表示させる印影抽出手段と、前記表示された印影画像を登録処理する登録手段とを備える印鑑登録システムにおいて、
フォーマットの相違する複数の印鑑票の識別情報に対応させて印鑑票画像上での前記印影画像を配置するための枠の位置、サイズを示す枠情報が格納されている枠情報格納部と、
登録処理すべき印鑑票の識別情報に基づいて前記枠情報格納部を検索し、対応する枠情報の有無を判定し、存在すると前記枠情報を前記印影抽出手段に供給する枠情報検索部と、
前記枠情報が存在しないと前記印影抽出手段に基本枠情報を供給する枠情報供給部と、
前記表示手段で表示させている印影画像に対する枠の不整合によって枠の位置、サイズを変更するための変更データを入力すると、印影画像に整合する枠を設定し、かつ基本枠情報を前記変更データで変更する枠変更部と、
前記変更した枠情報を前記印鑑票の識別情報に対応させて前記枠情報格納部に格納する枠情報格納手段とを備えることを特徴とする印鑑登録システム。
【発明の詳細な説明】
【技術分野】
【０００１】
本発明は、金融機関及び公共機関などに導入され、印鑑票の少なくとも印影を電子化して登録する印鑑登録システムに関する。
【背景技術】
【０００２】
従来、金融機関及び公共機関などでは、印鑑票の少なくとも印影を電子化して登録するにあたり、例えば特許文献１に開示されているような、印鑑票をスキャナで読み取り生成した画像を登録用端末の表示部に表示させ、オペレータが該表示部に表示された画像上の印影の領域を操作部を用いて抽出し、該抽出により生成した印影画像と、顧客の識別情報とを対応させて記憶部に登録する印鑑登録システムが導入されている。
【０００３】
このような上記登録作業は、オペレータに対する負担が大きく、かつ登録処理に時間がかかるため、大量の印鑑票の登録処理には不向きであった。そのため、近年では、オペレータへの負担の軽減及び登録処理の効率化を目的として、上記各機関で用いる印鑑票のサイズと、該印鑑票の印影の領域の位置、サイズとを予め調査して登録を行い、印鑑票をスキャナで読み取り生成した画像から登録に基づいた印影の領域を自動的に抽出し、該抽出により生成した印影画像と、顧客の識別情報とを対応させて記憶部に登録する印鑑登録システムも利用されている。
【特許文献１】特開昭６０−１３４９８４号公報
【発明の開示】
【発明が解決しようとする課題】
【０００４】
しかしながら、上記印鑑登録システムは、印鑑票のフォーム変更などが生じると、システム開発者が上記印影の領域の位置、サイズを調査してシステム開発を行う必要があるため、フォーム変更に迅速に対応できないという欠点があった。また、予め登録された上記印影の領域は固定的に設定されているため、該領域内に収まらない印影を含む印鑑票に対しては印影を抽出できず、登録処理を行うことが出来ないなど、オペレータにとって使い勝手が悪いという問題があった。
【０００５】
以上の問題点を鑑み、本発明の目的は、印鑑票をスキャナで読み取った画像から少なくとも印影の領域の位置、サイズをオペレータが設定及び調整を行うことができ、かつ印影が該領域内に収まっていない場合でも、該印影を抽出可能な印鑑登録システムを提供することにある。
【課題を解決するための手段】
【０００６】
本発明は、以上の点を解決するために、次の構成を採用する。
本発明の印鑑登録システムは、登録処理すべく押印された印鑑票より取得したイメージデータから印鑑票画像を表示する表示手段と、印鑑票画像から枠情報に基づいて少なくとも印影画像を枠内に設定すると印影画像を抽出して表示手段に表示させる印影抽出手段と、表示された印影画像を登録処理する登録手段とを備える印鑑登録システムにおいて、フォーマットの相違する複数の印鑑票の識別情報に対応させて印鑑票画像上での印影画像を配置するための枠の位置、サイズを示す枠情報が格納されている枠情報格納部と、登録処理すべき印鑑票の識別情報に基づいて枠情報格納部を検索し、対応する枠情報の有無を判定し、存在すると枠情報を印影抽出手段に供給する枠情報検索部と、枠情報が存在しないと印影抽出手段に基本枠情報を供給する枠情報供給部と、表示手段で表示させている印影画像に対する枠の不整合によって枠の位置、サイズを変更するための変更データを入力すると、印影画像に整合する枠を設定し、かつ基本枠情報を変更データで変更する枠変更部と、変更した枠情報を印鑑票の識別情報に対応させて枠情報格納部に格納する枠情報格納手段とを備えることを特徴とする。
【発明の効果】
【０００７】
本発明によれば、印鑑票をスキャナで読み取った画像から少なくとも印影の領域の位置、サイズをオペレータが設定及び調整を行うことができ、かつ印影が該領域内に収まっていない場合でも、該印影を抽出することができる。
【０００８】
以下、本発明の実施形態について実施例を用いて詳細に説明する。
【実施例】
【０００９】
＜実施例の構成＞
本発明の実施例の印鑑登録システムは、図１に示すように、スキャナ１００と、該スキャナ１００とスキャナケーブルを介して接続されている登録用端末２００と、該登録用端末２００とネットワーク４００を介して接続されているホスト装置３００とで構成されている。ここで、本発明の印鑑登録システムは、例えば金融機関の届印の登録などに用いられている。
【００１０】
ところで、説明を簡便に行うべく、図１には、１台の登録用端末２００に１台のスキャナ１００が接続された構成のみが示されているが、ネットワーク４００には登録用端末２００と同様の機能及び１台のスキャナ１００を有する多数の登録用端末２００が接続されている。
【００１１】
スキャナ１００は、印鑑票１を光学的に読み取り、イメージデータとして出力するためのイメージスキャナである。
【００１２】
登録用端末２００は、スキャナ１００で読み取らせた印鑑票１のイメージデータを示す印鑑票画像から、該印鑑票１に押印された届出印の印影及び署名部を抽出して印影画像及び署名画像を生成、登録するためにオペレータが操作するＰＣ（Ｐｅｒｓｏｎａｌ  Ｃｏｍｐｕｔｅｒ）などであり、ネットワーク４００に接続されている通信部２０１と、端末全体を制御する制御部２０２と、一時記憶部２０３と、表示部２０４と、入力部２０５と、印鑑票識別情報読取部２０６と、枠情報読取部２０７とを備える。
【００１３】
制御部２０２は、図示しないメモリの制御プログラムを実行し、オペレータにオペレータＩＤ番号と、パスワードとを入力させるための入力指示画面を表示部２０４に表示させる。
【００１４】
オペレータが、表示部２０４に表示された入力指示画面を参照し、入力部２０５に備えるキーボードなどを用いてオペレータＩＤ番号と、パスワードとを入力すると、制御部２０２は、該オペレータＩＤ番号と、該パスワードとを一時記憶部２０３に記憶し、かつ該オペレータＩＤ番号と、該パスワードとをホスト装置３００へ送信する。
【００１５】
そして、制御部２０２は、上記オペレータＩＤ番号及びパスワードの応答としてホスト装置３００から後述するオペレータ照合一致信号を取得すると、図示しないメモリの制御プログラムを実行し、オペレータにスキャナ１００で印鑑票１を読み取らせるための読取指示画面を表示部２０４に表示させる。
【００１６】
一方、制御部２０２は、後述するオペレータ照合不一致信号を取得すると、図示しないメモリの制御プログラムを実行し、オペレータ照合が不一致であることを通知するためのオペレータ照合不一致通知画面を表示部２０４に表示させ、処理を中止する。
【００１７】
オペレータが、表示部２０４に表示された読取指示画面を参照し、スキャナ１００に印鑑票１をセットして入力部２０５に備えるキーボードもしくはマウスなどを用いて印鑑票読み取り指示を入力すると、制御部２０２は、スキャナ１００に該印鑑票１を光学的に読み取らせ、印鑑票画像を生成する。
【００１８】
制御部２０２は、上記印鑑票画像を生成すると、一時記憶部２０３に該印鑑票画像を記憶すると共に、印鑑票識別情報読取部２０６へ印鑑票識別情報の読み取りを指示する。
【００１９】
印鑑票識別情報読取部２０６は、印鑑票識別情報の読み取りの指示を受けると、印鑑票１に記載された印鑑票の種類を示す印鑑票識別情報を上記印鑑票画像から読み取る。ここで、印鑑票識別情報読取部２０６は、図示しないメモリに予め登録された印鑑票識別情報取得領域を読み出し、該印鑑票識別情報読取領域に基づいて、印鑑票画像から印鑑票識別情報を読み取るものとする。そして、全種類の印鑑票は、該印鑑票の印鑑票識別情報の記載位置は同じであるものとする。また、オペレータが入力部２０５を用いて上記印鑑票識別情報を入力してもよい。
【００２０】
そして、印鑑票識別情報読取部２０６が印鑑票識別情報を読み取ると、制御部２０２は、一時記憶部２０３に該印鑑票識別情報を記憶すると共に、表示部２０４に表示される後述する印鑑登録画面上に表示された該印鑑票画像から印影及び署名部の各領域を抽出するために、一時記憶部２０３で保持する印鑑票識別情報を含む枠情報要求信号を生成し、該枠情報要求信号をホスト装置３００へ送信する。
【００２１】
制御部２０２は、上記枠情報要求信号の応答としてホスト装置３００から後述する枠登録情報を取得すると、該枠登録情報を一時記憶部２０３に記憶する。そして、制御部２０２は、図示しないメモリの制御プログラムを実行し、図２に示すような、該一時記憶部２０３で保持する印鑑票画像１１と、上記枠登録情報に基づいた位置、サイズの印鑑枠１２及び署名枠１３と、後述する印影画像１４及び署名画像１５と、印鑑票情報入力フォーム１６と、「印鑑署名枠登録」ボタン１７と、「印鑑署名画像登録」ボタン１８とで構成された印鑑登録画面１０を表示部２０４に表示する。
【００２２】
ここで、上記印鑑登録画面１０では、制御部２０２が上記制御プログラムを実行することにより、印鑑票画像１１の印鑑枠１２及び署名枠１３で囲まれた領域が自動的に抽出され、該抽出により生成された印影画像１４及び署名画像１５が表示されるものとする。そして、印鑑登録画面１０では、制御部２０２が上記制御プログラムを実行することにより、印鑑枠１２内の印鑑票画像１１から印影以外の線及び文字などを自動的に除去した印影画像１４が表示されるものとする。
【００２３】
また、印鑑登録画面１０では、制御部２０２が上記制御プログラムを実行することにより、印鑑票画像１１が印鑑票１と同サイズで表示され、印影画像１４が印鑑票１上の印影と同サイズで表示されるものとする。更に、印鑑登録画面１０では、制御部２０２が上記制御プログラムを実行することにより、署名画像１５が予め設定された表示領域内に収まるサイズで表示されるので、署名枠１３で囲まれた署名部の領域が該表示領域より大きいと、該領域の画像が該表示領域内に収まるサイズに自動的に縮小されて署名画像１５として表示されるものとする。ここで、オペレータが指定する署名部とは、各機関毎に異なり、図２では印鑑票画像１１の住所、氏名（フリガナ）を含む領域を署名部として署名枠１３で抽出した署名画像１５の例を示す。
【００２４】
そして、上記印鑑登録画面１０では、制御部２０２が上記制御プログラムを実行することにより、オペレータが印鑑枠１２と署名枠１３とを目視により区別するために色、属性などを保持する印鑑枠１２（例えば色＝赤、属性＝印鑑枠）及び署名枠１３（例えば色＝青、属性＝署名枠）が表示されるものとする。
【００２５】
印鑑票情報入力フォーム１６は、オペレータから印鑑票１に記載された口座番号などの顧客識別情報の入力を入力部２０５に備えるキーボードもしくはマウスなどを介して受け付けるための入力フォームである。
【００２６】
「印鑑署名枠登録」ボタン１７は、オペレータから上記印鑑登録画面１０上に表示された印鑑枠１２及び署名枠１３の位置、サイズを示す後述する新たな枠情報の登録指示を入力部２０５に備えるキーボードもしくはマウスなどを介して受け付けるためのボタンである。
【００２７】
「印影署名画像登録」ボタン１８は、オペレータから上記印鑑登録画面１０上に表示確定された印影画像１４と、署名画像１５と、印鑑票情報入力フォーム１６上の顧客識別情報との登録指示を入力部２０５に備えるキーボードもしくはマウスなどを介して受け付けるためのボタンである。
【００２８】
表示部２０４に表示された印鑑登録画面１０では、上記「印鑑署名枠登録」ボタン１７と、上記「印影署名画像登録」ボタン１８の他に、図示しない印影画像の角度を調整するための「角度調整」ボタン、印影画像及び署名画像の濃度を調整するための「濃度調整」ボタン、処理を中止させるための「中止」ボタンなどが表示されるものとする。ここで、本実施例では、上記角度調整及び濃度調整に関する説明は割愛するが、オペレータからの指示に基づいてこれらの調整は行われるものとする。
【００２９】
一方、制御部２０２は、上記枠情報要求信号の応答としてホスト装置３００から後述する枠登録情報無信号を取得すると、図示しないメモリの制御プログラムを実行し、一時記憶部２０３で保持する印鑑票画像１１と、図示しない自己のメモリに予め設定された印鑑枠及び署名枠の基本枠設定情報に基づいた位置、サイズの印鑑枠１２及び署名枠１３と、印影画像１４及び署名画像１５と、印鑑票情報入力フォーム１６と、「印鑑署名枠登録」ボタン１７と、「印鑑署名画像登録」ボタン１８とで構成された印鑑登録画面１０を表示部２０４に表示する。
【００３０】
オペレータが表示部２０４に表示された印鑑登録画面１０を参照し、基本の印鑑枠１２と印影部の領域とが整合していない場合、印鑑枠１２が印鑑票画像１１の印影部の領域を抽出できるように入力部２０５に備えたキーボードもしくはマウスなどを用いて該印鑑枠１２の位置、サイズを変更すると、制御部２０２は、該変更に基づいた枠情報（座標）を生成し、該枠情報に対応させて印鑑枠１２と、該印鑑枠１２で抽出された印影画像１４とを該印鑑登録画面１０上に表示する。
【００３１】
同様に、オペレータが上記印鑑登録画面１０を参照し、基本の署名枠１３と署名部の領域とが整合していない場合、署名枠１３が印鑑票画像１１の署名部の領域を抽出できるように入力部２０５に備えたキーボードもしくはマウスなどを用いて該署名枠１３の位置、サイズを変更すると、制御部２０２は、該変更に基づいた枠情報（座標）を生成し、該枠情報に対応させて署名枠１３と、該署名枠１３で抽出された署名画像１５とを該印鑑登録画面１０上に表示する。
【００３２】
オペレータが上記印鑑登録画面１０上の印鑑枠１２及び署名枠１３の位置、サイズを登録するために「印鑑署名枠登録」ボタン１７を押下すると、制御部２０２は、枠情報読取部２０７へ枠情報の読み取りを指示する。
【００３３】
枠情報読取部２０７は、枠情報の読み取りの指示を受けると、上記印鑑登録画面１０上の印鑑枠１２及び署名枠１３の位置、サイズを示す上記生成した枠情報を読み取る。ここで、枠情報とは、例えば印鑑枠１２を示す長方形の４点の座標と、署名枠１３を示す長方形の４点の座標とで構成されているものとする。
【００３４】
枠情報読取部２０７が上記枠情報を読み取ると、制御部２０２は、該印鑑及び署名の枠情報と、一時記憶部２０３で保持する印鑑票識別情報とをホスト装置３００へ送信する。
【００３５】
制御部２０２は、上記枠情報及び印鑑票識別情報の応答としてホスト装置３００から後述する枠情報登録完了信号を取得すると、図示しないメモリの制御プログラムを実行し、オペレータに印鑑枠及び署名枠の登録処理が完了したことを通知する通知画面を表示部２０４に表示させる。
【００３６】
オペレータが表示部２０４に表示された印鑑登録画面１０上の印鑑票画像１１を参照し、入力部２０５に備えたキーボードもしくはマウスなどを用いて印鑑票情報入力フォーム１６に印鑑票１に記載された口座情報などの顧客識別情報を入力し終え、「印影署名画像登録」ボタン１８を押下すると、制御部２０２は、図示しないメモリの制御プログラムを実行し、該印鑑登録画面１０上の印影画像１４を示す印影情報と、署名画像１５を示す署名情報と、該印鑑票情報入力フォーム１６上の顧客識別情報とを読み取り、該印影情報と、該署名情報と、該顧客識別情報とをホスト装置３００へ送信する。
【００３７】
制御部２０２は、上記印影情報と、上記署名情報と、上記顧客識別情報との応答としてホスト装置３００から後述する印鑑票登録完了信号を取得すると、図示しないメモリの制御プログラムを実行し、オペレータに印鑑票１の登録処理が完了したことを通知する通知情報を表示部２０４に表示させ、処理を終了する。
【００３８】
ホスト装置３００は、ネットワーク４００に接続されている通信部３０１と、装置全体を制御する制御部３０２と、一時記憶部３０３と、枠登録情報データベース（ＤＢ）３０４と、枠登録情報管理部３０５と、印鑑票登録情報管理部３０６と、印鑑票登録情報データベース（ＤＢ）３０７とを備える。
【００３９】
枠登録情報ＤＢ３０４は、印鑑票識別情報と、オペレータにより登録用端末２００で設定された枠情報とを対応付けた枠登録情報を保持するための記憶部であり、印鑑票の種類毎の枠登録情報を保持する。
【００４０】
枠登録情報管理部３０５は、枠登録情報ＤＢ３０４の管理を行う部であり、後述する新規登録の指示を受けると、一時記憶部３０３で保持する後述する印鑑票識別情報と、枠情報とを対応付けた枠登録情報を枠登録情報ＤＢ３０４に新規登録する。
【００４１】
制御部３０２は、登録用端末２００からオペレータＩＤ番号と、パスワードとを取得すると、該オペレータＩＤ番号と該パスワードとを一時記憶部３０３に記憶し、図示しないオペレータ照合判定部へオペレータ照合判定を指示する。
【００４２】
図示しないオペレータ照合判定部は、オペレータ照合判定の指示を受けると、一時記憶部３０３で保持するオペレータＩＤ番号とパスワードとに該当するオペレータ情報が図示しないオペレータ情報ＤＢで保持されているか否かを検索し、保持されていると、オペレータ照合一致と判定する。そして、上記オペレータ照合判定部がオペレータ照合一致と判定すると、制御部３０２は、オペレータ照合一致信号を生成し、該オペレータ照合一致信号を登録用端末２００へ送信する。
【００４３】
一方、上記オペレータ照合判定部は、該当するオペレータ情報が保持されていないと、オペレータ照合不一致と判定する。そして、上記オペレータ照合判定部がオペレータ照合不一致と判定すると、制御部３０２は、オペレータ照合不一致信号を生成し、該オペレータ照合不一致信号を登録用端末２００へ送信する。
【００４４】
制御部３０２は、登録用端末２００から印鑑票識別情報を含む枠情報要求信号を取得すると、枠登録情報ＤＢ３０４に該印鑑票識別情報に該当する枠登録情報が保持されているか否かを検索し、保持されていると、該当する枠登録情報を登録用端末２００へ送信する。
【００４５】
一方、制御部３０２は、枠登録情報ＤＢ３０４に該当する枠登録情報が保持されていないと、枠登録情報無信号を生成し、該枠登録情報無信号を登録用端末２００へ送信する。
【００４６】
制御部３０２は、登録用端末２００から枠情報と、印鑑票識別情報とを取得すると、該枠情報と、該印鑑票識別情報とを一時記憶部３０３に記憶すると共に、枠登録情報管理部３０５へ新規登録を指示する。
【００４７】
枠登録情報管理部３０５が枠登録情報ＤＢ３０４に新規登録すると、制御部３０２は、枠情報登録完了信号を生成し、該枠情報登録完了信号を登録用端末２００へ送信する。
【００４８】
制御部３０２は、登録用端末２００から印影情報と、署名情報と、顧客識別情報とを取得すると、該印影情報と、該署名情報と、該顧客情報とを一時記憶部３０３に記憶すると共に、印鑑票登録情報管理部３０６へ登録を指示する。
【００４９】
印鑑票登録情報管理部３０６は、登録の指示を受けると、一時記憶部３０３で保持する印影情報と、署名情報と、顧客識別情報とを対応させて印鑑票登録情報として、印鑑票登録情報ＤＢ３０７に新規登録する。そして、印鑑票登録情報管理部３０６が新規登録すると、制御部３０２は、印鑑票情報登録完了信号を生成し、該印鑑票情報登録完了信号を登録用端末２００へ送信する。
【００５０】
＜実施例の動作＞
次に、本発明の印鑑登録システムの実施例における印鑑枠及び署名枠が登録されるまでの動作について、図３に示すフローチャートを用いて説明する。ここで、オペレータは、本印鑑登録システムにおいて、本人認証後に新フォームの印鑑票１の印鑑枠及び署名枠の位置、サイズの登録処理を行うものとする。
【００５１】
オペレータが、表示部２０４に表示された読取指示画面を参照し、スキャナ１００に印鑑票１をセットして入力部２０５に備えるキーボードもしくはマウスなどを用いて印鑑票読み取り指示を入力すると、制御部２０２は、スキャナ１００に該印鑑票１を光学的に読み取らせ、印鑑票画像を生成する（ステップＳ１０１）。
【００５２】
制御部２０２は、上記印鑑票画像を生成すると、一時記憶部２０３に該印鑑票画像を記憶すると共に、印鑑票識別情報読取部２０６へ印鑑票識別情報の読み取りを指示する。
【００５３】
印鑑票識別情報読取部２０６は、印鑑票識別情報の読み取りの指示を受けると、印鑑票１に記載された印鑑票の種類を示す印鑑票識別情報を上記印鑑票画像から読み取る（ステップＳ１０２）。
【００５４】
印鑑票識別情報読取部２０６が印鑑票識別情報を読み取ると、制御部２０２は、一時記憶部２０３に該印鑑票識別情報を記憶すると共に、一時記憶部２０３で保持する印鑑票識別情報を含ませた枠情報要求信号を生成し、該枠情報要求信号を通信部２０１を介してホスト装置３００へ送信する。
【００５５】
ホスト装置３００の制御部３０２は、上記印鑑票識別情報を含む枠情報要求信号を取得すると、枠登録情報ＤＢ３０４に該印鑑票識別情報に該当する枠登録情報が保持されているか否かを検索し、保持されていない場合、枠登録情報無信号を生成し、該枠登録情報無信号を通信部３０１を介して登録用端末２００へ送信する。
【００５６】
登録用端末２００の制御部２０２は、上記枠登録情報無信号を取得すると、図示しないメモリの制御プログラムを実行し、一時記憶部２０３で保持する印鑑票画像１１と、図示しないメモリに予め登録された印鑑枠及び署名枠の基本枠設定情報に基づいた位置、サイズの例えば赤色の印鑑枠１２及び青色の署名枠１３と、印影画像１４及び署名画像１５と、印鑑票情報入力フォーム１６と、「印鑑署名枠登録」ボタン１７とで構成された印鑑登録画面１０を表示部２０４に表示する（ステップＳ１０３）。
【００５７】
オペレータが上記印鑑登録画面１０を参照し、基本の印鑑枠１２と印影部の領域とが整合していない場合、印鑑枠１２が印鑑票画像１１の印影部の領域を抽出できるように入力部２０５に備えたキーボードもしくはマウスなどを用いて該印鑑枠１２の位置、サイズを変更すると、制御部２０２は、該変更に基づいた印鑑枠１２と、該印鑑枠１２で抽出された印影画像１４とを該印鑑登録画面１０上に表示する（ステップＳ１０４）。
【００５８】
同様に、オペレータが上記印鑑登録画面１０を参照し、基本の署名枠１３と署名部の領域とが整合していない場合、署名枠１３が印鑑票画像１１の署名部の領域を抽出できるように入力部２０５に備えたキーボードもしくはマウスなどを用いて該署名枠１３の位置、サイズを変更すると、制御部２０２は、該変更に基づいた署名枠１３と、該署名枠１３で抽出された署名画像１５とを該印鑑登録画面１０上に表示する（ステップＳ１０５）。
【００５９】
オペレータが、上記印鑑登録画面１０上の印鑑枠１２及び署名枠１３の位置、サイズの変更を終え、「印鑑署名枠登録」ボタン１７を押下すると（ステップＳ１０６）、制御部２０２は、枠情報読取部２０７へ枠情報の読み取りを指示する。
【００６０】
枠情報読取部２０７は、枠情報の読み取りの指示を受けると、表示部２０４に表示された印鑑登録画面１０上の印鑑枠１２及び署名枠１３の位置、サイズを示す枠情報を読み取る（ステップＳ１０７）。
【００６１】
枠情報読取部２０７が上記枠情報を読み取ると、制御部２０２は、該印鑑及び署名の枠情報と、一時記憶部２０３で保持する印鑑票識別情報とを通信部２０１を介してホスト装置３００へ送信する。
【００６２】
ホスト装置３００の制御部３０２は、上記枠情報と、印鑑票識別情報とを取得すると、該印鑑票識別情報に該当する枠登録情報が枠登録情報ＤＢ３０４で保持されているか否かを検索し、保持されていないので、枠登録情報管理部３０５へ新規登録を指示する。
【００６３】
枠登録情報管理部３０５は、新規登録の指示を受けると、一時記憶部３０３で保持する印鑑票識別情報と、枠情報とを対応させた枠登録情報として枠登録情報ＤＢ３０４に新規登録する（ステップＳ１０８）。
【００６４】
枠登録情報管理部３０５が枠登録情報ＤＢ３０４に新規登録すると、制御部３０２は、枠情報登録完了信号を生成し、該枠情報登録完了信号を通信部３０１を介して登録用端末２００へ送信する。
【００６５】
登録用端末２００の制御部２０２は、上記枠情報登録完了信号を取得すると、図示しないメモリの制御プログラムを実行し、例えば「印鑑枠と署名枠の位置、サイズを登録しました。」というメッセージを示す通知情報を表示部２０４に表示させる。
【００６６】
次に、枠登録情報ＤＢ３０４で保持する登録枠情報に基づいて印鑑登録画面上に表示された印鑑及び署名枠内に印影及び署名が収まっていない場合、該印影及び署名が登録されるまでの動作について図４に示すフローチャートを用いて説明する。
【００６７】
実施例のステップＳ２０１、Ｓ２０２の動作は、上記説明した実施例のステップＳ１０１、Ｓ１０２の動作と同じである。
【００６８】
印鑑票識別情報読取部２０６が印鑑票識別情報を読み取ると、制御部２０２は、一時記憶部２０３に該印鑑票識別情報を記憶すると共に、一時記憶部２０３で保持する印鑑票識別情報を含ませた枠情報要求信号を生成し、該枠情報要求信号を通信部２０１を介してホスト装置３００へ送信する。
【００６９】
ホスト装置３００の制御部３０２は、上記印鑑票識別情報を含む枠情報要求信号を取得すると、枠登録情報ＤＢ３０４に該印鑑票識別情報に該当する枠登録情報が保持されているか否かを検索し、保持されている場合、該当する枠登録情報を通信部３０１を介して登録用端末２００へ送信する。
【００７０】
登録用端末２００の制御部２０２は、上記枠登録情報を取得すると、該枠登録情報を一時記憶部２０３に記憶する。そして、制御部２０２は、図示しないメモリの制御プログラムを実行し、一時記憶部２０３で保持する印鑑票画像１１と、上記枠登録情報に基づいた位置、サイズの例えば赤色の印鑑枠１２及び青色の署名枠１３と、印影画像１４及び署名画像１５と、印鑑票情報入力フォーム１６と、「印鑑署名画像登録」ボタン１８とで構成された印鑑登録画面１０を表示部２０４に表示する（ステップＳ２０３）。
【００７１】
実施例のステップＳ２０４、Ｓ２０５の動作は、上記説明した実施例のステップＳ１０４、１０５の動作と同じである。
【００７２】
オペレータが表示部２０４に表示された印鑑登録画面１０上の印鑑票画像１１を参照し、入力部２０５に備えたキーボードもしくはマウスなどを用いて印鑑票情報入力フォーム１６に印鑑票１に記載された口座情報などの顧客識別情報を入力し終え、「印影署名画像登録」ボタン１８を押下すると（ステップＳ２０６）、制御部２０２は、図示しないメモリの制御プログラムを実行し、該印鑑登録画面１０上の印影画像１４を示す印影情報と、署名画像１５を示す署名情報と、該印鑑票情報入力フォーム１６上の顧客識別情報とを読み取り、該印影情報と、該署名情報と、該顧客識別情報とを通信部２０１を介してホスト装置３００へ送信する。
【００７３】
ホスト装置３００の制御部３０２は、上記印影情報と、上記署名情報と、上記顧客識別情報とを取得すると、該印影情報と、該署名情報と、該顧客情報とを一時記憶部３０３に記憶すると共に、印鑑票登録情報管理部３０６へ登録を指示する。
【００７４】
印鑑票登録情報管理部３０６は、登録の指示を受けると、一時記憶部３０３で保持する印影情報と、署名情報と、顧客識別情報とを対応させて印鑑票登録情報として、印鑑票登録情報ＤＢ３０７に新規登録する（ステップＳ２０７）。そして、印鑑票登録情報管理部３０６が新規登録すると、制御部３０２は、印鑑票情報登録完了信号を生成し、該印鑑票情報登録完了信号を通信部３０１を介して登録用端末２００へ送信する。
【００７５】
登録用端末２００の制御部２０２は、上記印鑑票登録完了信号を取得すると、図示しないメモリの制御プログラムを実行し、例えば「印影と署名を登録しました。」というメッセージを示す通知情報を表示部２０４に表示させ、処理を終了する。
【００７６】
＜実施例の効果＞
本実施例の印鑑登録システムによれば、オペレータが印鑑票１をスキャナ１で読み取った印鑑票画像から印影及び署名部の各領域を抽出する印鑑枠１２及び署名枠１３の位置、サイズを設定及び調整を行うことができ、かつ印影及び署名が印鑑枠１２及び署名枠１３と整合していない場合でも、オペレータが該印鑑枠１２及び署名枠１３の位置、サイズを変更して印影及び署名の各領域を抽出することができるので、今まで登録不可であった印影及び署名の登録が可能であるので、オペレータの利便性を向上することができる。
【産業上の利用可能性】
【００７７】
前記した実施例では、金融機関向けの印鑑登録システムの例を説明したが、これに限る必要はなく、公共機関向けの印鑑登録システムに適応してもよい。
【図面の簡単な説明】
【００７８】
【図１】本発明に係る実施例の印鑑登録システムを示すブロック図である。
【図２】本発明に係る実施例の印鑑登録画面の一例を示す図である。
【図３】本発明に係る実施例の印鑑及び署名枠の登録動作を示すフローチャートである。
【図４】本発明に係る実施例の印影及び署名画像の登録動作を示すフローチャートである。
【符号の説明】
【００７９】
１  印鑑票
１００  スキャナ
２００  登録用端末
２０１  通信部
２０２  制御部
２０３  一時記憶部
２０４  表示部
２０５  入力部
２０６  印鑑票識別情報読取部
２０７  枠情報読取部
３００  ホスト装置
３０１  通信部
３０２  制御部
３０３  一時記憶部
３０４  枠登録情報データベース（ＤＢ）
３０５  枠登録情報管理部
３０６  印鑑票登録情報管理部
３０７  印鑑票登録情報データベース（ＤＢ）
４００  ネットワーク
【図１】
2008015805.tif 000003
【図２】
2008015805.tif 000004
【図３】
2008015805.tif 000005
【図４】
2008015805.tif 000006